(57)【要約】【課題】水平横架材と建枠との取り付けを簡便に行える取付構造を具備した安全性を高めるためのわく組足場を提供する。【解決手段】手すり（水平横架材）２２を建枠１２に取り付けるための取付構造４０を具備したわく組足場１０であって、取付構造４０は、嵌挿孔３６ａを有し、手すり２２の長さ方向の両端に配設されて建枠１２の支柱１４に取り付けられる取付部３０ａと、支柱１４の高さ方向の所定の位置に配設され、取付部３０ａと着脱自在に連結される連結部４２とを含み、連結部４２は、支柱１４から略直交する方向に突設され、嵌挿孔３６ａに嵌挿される連結軸部材４４と、連結軸部材４４の先端から連結軸部材４４の根元側に所定の長さを有する切欠き溝部４６と、枢軸部材５０で連結軸部材４４に回動自在に支持され、切欠き溝部４６からその一部が突出可能に作動するストッパ部材４８とを含む。【選択図】図８
2010261169.tif 000002
【特許請求の範囲】
【請求項１】
手すり、あるいは、さん、として用いられる長さ方向を有した水平横架材を建枠に取り付けるための取付構造を具備したわく組足場であって、
前記建枠は、所定の間隔を隔てて配置される一対の支柱と前記支柱間に架設される横材とを備え、
前記取付構造は、
嵌挿部を有し、前記水平横架材の長さ方向の両端に配設されて前記建枠の前記支柱に取り付けられる取付部、および
前記支柱の高さ方向の所定の位置に配設され、前記取付部と着脱自在に連結される連結部を含み、
前記連結部は、
前記支柱から前記支柱に対して略直交する方向に突設され、前記取付部の前記嵌挿部に嵌挿される連結軸部材、
前記連結軸部材の先端から前記連結軸部材の根元側に所定の長さを有する切欠き溝部、および
前記切欠き溝部を介して対向する前記連結軸部材の壁面間に配置され、枢軸部材で回動自在に支持されることによって、前記切欠き溝部からその一部が突出可能に作動するストッパ部材を含むことを特徴とする、わく組足場。
【請求項２】
前記取付部は、
前記連結軸部材に嵌挿される嵌挿孔を有し、前記連結軸部材に嵌挿される取付片、および、
前記水平横架材の長さ方向の両端で且つ前記水平横架材の長さ方向に直交する方向に配設され、前記取付片が前記水平横架材と略平行且つ水平に配置されて前記支柱に当接されるように前記取付片を支持する支持片を含むことを特徴とする、請求項１に記載のわく組足場。
【請求項３】
前記わく組足場は、
所定の間隔を隔てて配置される複数の建枠、および、
前記複数の建枠間の隣り合う支柱間に、前記取付構造によって取り付けられる水平横架材を含み、
隣り合う前記水平横架材の端部間において、一方の前記取付片の嵌挿孔と、他方の前記取付片の嵌挿孔とが重ね合わされた状態で、一方の前記取付片および他方の前記取付片が前記連結部の連結軸部材に嵌挿されて連結されることを特徴とする、請求項２に記載のわく組足場。
【請求項４】
前記わく組足場は、前記複数の建枠間の隣り合う支柱間に取り付けられる交さ筋かいをさらに含み、
隣り合う水平横架材の一方の前記水平横架材は、隣り合う交さ筋かいの一方の前記交さ筋かいよりも外方に配置され、
隣り合う水平横架材の他方の前記水平横架材は、隣り合う交さ筋かいの他方の前記交さ筋かいよりも内方に配置されることを特徴とする、請求項３に記載のわく組足場。
【発明の詳細な説明】
【技術分野】
【０００１】
この発明は、わく組足場に関し、特に、手すり、あるいは、さん、として用いられる水平横架材を建枠に簡便に取り付けるために、あるいは、建枠に取り付けられる水平横架材間を簡便に取り付けるために好適な取付構造を具備した、わく組足場に関する。
【背景技術】
【０００２】
この発明の背景となる従来のわく組足場の一例としては、たとえば鳥居型の建枠を所定の間隔に対向するように配置した後、隣り合う建枠の支柱間に交さ筋かいを取り付け、対向する建枠の横材間に足場板を架設しながら、建枠を上方に接いでいくことによって、順次、多段状のわく組足場を施工するものがあった。この場合、交さ筋かいが手すりとしての機能を有し、たとえば足場板上での作業の安全を図るものであった。
【０００３】
ところが、このような従来のわく組足場では、作業者が足場板上で中腰になって作業をするような場合に、交さ筋かいの下の開口すき間から墜落する虞があった。
そこで、このような従来のわく組足場の問題点を解消するために、たとえば一対の斜材からなる交差筋違いに補助手摺りを装着した枠組足場の交差筋違用補助手摺りが提案されている（例えば、特許文献１参照）。
【先行技術文献】
【特許文献】
【０００４】
【特許文献１】特開平１０−３３１４１３号公報
【発明の概要】
【発明が解決しようとする課題】
【０００５】
しかしながら、この従来の枠組足場の交差筋違用補助手摺りでは、補助手摺りを交差筋違に装着するにあたって、その装着操作が煩雑で手間が掛かる上、補助手摺りを構成する構成部材の構造が複雑で且つ構成部材の点数も多いものであった。したがって、枠組足場の組立てに要する作業時間が長くなり、その上、資材コストも高く付くなどの不具合が生じるものとなって、延いては、足場の組立てコスト低減化の障害となっていた。
一方で、建設業等において、高所からの転落事故等の労働災害が多発していることから、労働安全衛生規則（足場等関係）の一部が改正され、平成２１年６月１日から施工される。このような状況下にあって、わく組足場においても、事業者が行う墜落防止措置が講ぜられることになり、より一層、作業の安全性を高めるための「手すり」、「中さん等」、「下さん等」および「手すりわく」などの取付構造が希求されている。
【０００６】
それゆえに、この発明の主たる目的は、水平横架材と建枠との取り付けを簡便に行える取付構造を具備した安全性を高めるためのわく組足場を提供することである。
【課題を解決するための手段】
【０００７】
請求項１にかかる発明は、手すり、あるいは、さん、として用いられる長さ方向を有した水平横架材を建枠に取り付けるための取付構造を具備したわく組足場であって、建枠は、所定の間隔を隔てて配置される一対の支柱と支柱間に架設される横材とを備え、取付構造は、嵌挿部を有し、水平横架材の長さ方向の両端に配設されて建枠の支柱に取り付けられる取付部と、支柱の高さ方向の所定の位置に配設され、取付部と着脱自在に連結される連結部とを含み、連結部は、支柱から支柱に対して略直交する方向に突設され、取付部の嵌挿部に嵌挿される連結軸部材と、連結軸部材の先端から連結軸部材の根元側に所定の長さを有する切欠き溝部と、切欠き溝部を介して対向する連結軸部材の壁面間に配置され、枢軸部材で回動自在に支持されることによって、切欠き溝部からその一部が突出可能に作動するストッパ部材とを含むことを特徴とする、わく組足場である。
請求項１にかかる発明では、上記した取付構造を有することによって、取付部の嵌挿部に連結軸部材が嵌挿可能な状態となり、この場合、ストッパ部材は、連結軸部材の軸方向と同方向に向いた姿勢位置に保持される。つまり、ストッパ部材は、切欠き溝部から突出しない姿勢がとられる。そして、ストッパ部材が枢軸部材を中心に回動されると、ストッパ部材は、重力によって下方（鉛直方向）に垂れ下がる。このとき、ストッパ部材は、切欠き溝部から突出されるため、連結軸部材の軸方向からの取付部の抜け出しが阻止される。すなわち、水平横架材は、建枠の支柱から外れないようにロックされる。水平横架材が支柱に取り付けられた後は、ストッパ部材を切欠き溝部において連結軸部材の軸方向と同方向に向く姿勢位置に戻さない限り、当該水平横架材が外れることはない。
請求項２にかかる発明は、請求項１にかかる発明に従属する発明であって、取付部は、連結軸部材に嵌挿される嵌挿孔を有し、連結軸部材に嵌挿される取付片と、水平横架材の長さ方向の両端で且つ水平横架材の長さ方向に直交する方向に配設され、取付片が水平横架材と略平行且つ水平に配置されて支柱に当接されるように取付片を支持する支持片とを含むことを特徴とする、わく組足場である。
請求項２にかかる発明では、取付片の嵌挿孔に連結軸部材が嵌挿される。取付片は、支持片によって、水平横架材と略平行且つ水平となる姿勢に保持され、且つ、建枠の支柱と当接されるように、支持される。
請求項１にかかる発明および請求項２にかかる発明では、上記した取付構造を有するため、部品点数が少なく、また、取付部および連結部の構造が簡単であるため、製作コストが安い上、取付作業が簡便で、作業効率が非常に良いものとなっている。
請求項３にかかる発明は、請求項２にかかる発明に従属する発明であって、わく組足場は、所定の間隔を隔てて配置される複数の建枠と、複数の建枠間の隣り合う支柱間に、取付構造によって取り付けられる水平横架材とを含み、隣り合う水平横架材の端部間において、一方の取付片の嵌挿孔と、他方の取付片の嵌挿孔とが重ね合わされた状態で、一方の取付片および他方の取付片が連結部の連結軸部材に嵌挿されて連結されることを特徴とする、わく組足場である。
請求項３にかかる発明では、上記した取付構造によって、複数の建枠間の隣り合う支柱間に水平横架材が取り付けられる。隣り合う水平横架材の端部間においては、一方の水平横架材の一方の取付片および他方の水平横架材の一方の取付片に設けられた嵌挿孔が重ね合わされた状態で、１つの支柱の連結軸部材と嵌挿される。そのため、複数の建枠間の隣り合う支柱間に取り付けられた水平横架材は、一連に連結された状態で隣り合うものとなる。
請求項４にかかる発明は、請求項３にかかる発明に従属する発明であって、わく組足場は、複数の建枠間の隣り合う支柱間に取り付けられる交さ筋かいをさらに含み、隣り合う水平横架材の一方の水平横架材は、隣り合う交さ筋かいの一方の交さ筋かいよりも外方に配置され、隣り合う水平横架材の他方の水平横架材は、隣り合う交さ筋かいの他方の交さ筋かいよりも内方に配置されることを特徴とする、わく組足場である。
請求項４にかかる発明では、複数の建枠間の隣り合う複数の支柱間に交さ筋かいが取り付けられ、隣り合う一方及び他方の水平横架材は、隣り合う一方および他方の交さ筋かいにより、外方および内方に押さえ込まれるように配置される。
【発明の効果】
【０００８】
この発明によれば、わく組足場を構成する手すり等の水平横架材と建枠との取り付けを簡便に行える取付構造を具備した安全性を高めるためのわく組足場が得られる。
【０００９】
この発明の上述の目的、その他の目的、特徴および利点は、図面を参照して行う以下の発明を実施するための形態の説明から一層明らかとなろう。
【図面の簡単な説明】
【００１０】
【図１】この発明の実施形態の一例を示す概略正面図である。
【図２】図１に示すわく組足場に用いられる建枠の一例を示す正面図である。
【図３】（Ａ）は、図１に示すわく組足場で、隣り合う建枠の支柱と手すりとの取付構造の一例を示す一部省略平面図であり、（Ｂ）は、その要部拡大図である。
【図４】（Ａ）は、図１に示すわく組足場に用いられる手すりの一例を示す一部省略平面図であり、（Ｂ）は、その正面図である。
【図５】建枠の支柱に配設され、図４に示す手すりを着脱自在に連結する連結部の一例を示す図であって、（Ａ）は、その平面図であり、（Ｂ）は、その正面図であり、（Ｃ）は、その作動状態を示す正面図である。
【図６】建枠の支柱に手すりを取り付ける手順を示す要部斜視図である。
【図７】建枠の支柱に手すりを取り付ける手順を示す他の要部斜視図である。
【図８】連結部を作動させ、建枠の支柱に手すりを取り付けた状態を示す要部斜視図である。
【図９】図１に示すわく組足場の隣り合う２つの手すりの取付部を連結する手順を示す要部斜視図である。
【図１０】図１に示すわく組足場の隣り合う２つの手すりの取付部を連結する手順を示す他の要部斜視図である。
【図１１】連結部を作動させ、図１に示すわく組足場の隣り合う２つの手すりの取付部を建枠の支柱に連結した状態を示す要部斜視図である。
【図１２】建枠の支柱と手すりの取付構造の他の例を示す要部斜視図である。
【図１３】建枠の支柱と手すりの取付構造のさらに他の例を示す要部平面図である。
【発明を実施するための形態】
【００１１】
図１は、この発明の実施形態の一例を示す概略正面図であり、図２は、図１に示すわく組足場に用いられる建枠の一例を示す正面図である。図３の（Ａ）は、図１に示すわく組足場で、隣り合う建枠の支柱と手すりの取付構造の一例を示す一部省略平面図であり、図３の（Ｂ）は、その要部拡大図である。
わく組足場１０は、所定の間隔を隔てて対向配置される複数の建枠１２を含む。複数の建枠１２は、たとえば図１に見て、その左右方向に対向配置されている。建枠１２は、たとえば図２に示すように、左右一対のパイプ状の支柱１４と、左右一対の支柱１４の高さ方向の上端部間に架設される横材１６を含む。この実施形態例では、建枠１２の一例として、たとえば鳥居型の建枠が用いられている。
【００１２】
複数の建枠１２間の隣り合う支柱１４間には、図１に示すように、交さ筋かい１８が取り付けられている。交さ筋かい１８は、一対の斜材１８ａで対角線状に形成され、隣り合う建枠１２の支柱１４間に取り付けられている。そして、隣り合う複数の建枠１２の対向する横材１６間には、作業床としての足場板２０が架設されている。
さらに、複数の建枠１２間の隣り合う支柱１４間には、水平横架材としてのたとえば手すり２２が架設されている。手すり２２は、足場板２０の上面からたとえば８５ｃｍの高さの位置に設置されている。この手すり２２は、高さ８５ｃｍ以上に設置されてもよい。
【００１３】
また、複数の建枠１２間の隣り合う支柱１４間には、水平横架材として、さん２４が架設されている。さん２４は、足場板２０の上面からたとえば４０ｃｍの高さの位置に設置されている。当該さんは、高さ３５ｃｍ以上５０ｃｍ以下に設置されてもよい。
複数の建枠１２間の隣り合う支柱１４間において、足場板２０の上には、当該足場板２０の幅方向の両側で且つその長手方向の延びるように、幅木２６が立設されている。この幅木２６は、その幅方向の長さがたとえば２０ｃｍに形成されている。この幅木２６は、足場板２０の上面から幅木２６の上端までの高さがたとえば１５ｃｍ以上になるように、その幅方向の長さが設定される。
【００１４】
隣り合う建枠１２の対向する横材１６間に足場板２０を架設しながら、建枠１２を上方に接いでいくことによって、順次、多段状のわく組足場１０が組み立てられる。なお、最下段に配置される隣り合う複数の建枠１２間には、たとえば図１に示すように、足場板２０，手すり２２，さん２４および幅木２６は設置されていない。
【００１５】
次に、本実施形態例において、水平横架材の一例として用いられる手すり２２および当該手すり２２と建枠１２との取付構造について、たとえば図２〜図８を参照しながら、以下に説明する。
先ず、手すり２２の構造について説明する。手すり２２は、特に、たとえば図４に示すように、長さ方向を有する手すり本体２８を含む。手すり本体２８は、たとえばパイプ状に形成されている。手すり本体２８の長さ方向の一端および他端には、それぞれ、たとえば略Ｌ字形の取付部３０ａおよび３０ｂが配設されている。取付部３０ａおよび３０ｂは、それぞれ、手すり２２を建枠１２の対向する支柱１４間に取り付けるときの取付部位となっている。
【００１６】
取付部３０ａおよび３０ｂは、同様の構造を有するので、一方の取付部３０ａについて詳細に説明する。すなわち、取付部３０ａは、支持片３２ａと、当該支持片３２ａによって所定の姿勢に支持される取付片３４ａとを含む。支持片３２ａおよび取付片３４ａは、それぞれ、略矩形板状に形成されている。支持片３２ａは、手すり本体２８の長さ方向の一端で、且つ、手すり本体２８の長さ方向に直交する方向に配設される。手すり本体２８は、たとえば支持片３２ａの長手方向の一端から他端側に所定の長さＬ分だけ離れた位置に、溶接等の固着手段により固着される（特に、たとえば図６参照）。
【００１７】
取付片３４ａは、その略中央に、嵌挿部としてのたとえば円形の嵌挿孔３６ａを有する。取付片３４ａは、その長手方向の一端が、支持片３２ａの長手方向の他端と連接され、たとえば略Ｌ字形に形成される。本実施形態例では、支持片３２ａと取付片３４ａとが、たとえば金属材料で一体的に形成されている。同様に、もう一方の取付部３０ｂも、支持片３２ｂと、嵌挿孔３６ｂを有する取付片３４ｂとで構成されている。
支持片３２ａ，３２ｂは、それぞれ、取付片３４ａ，３４ｂが手すり２２の手すり本体２８と略平行且つ水平に配置されて建枠１２の支柱１４に当接されるように当該取付片３４ａ，３４ｂを支持するものとなっている。
【００１８】
次に、手すり２２と建枠１２との取付構造４０について説明する。取付構造４０は、たとえば図６および図７に示すように、上記した建枠１２の支柱１４に取り付けられる手すり２２の取付部３０ａ，３０ｂと、当該支柱１４の高さ方向の所定の位置に配設され、取付部３０ａ，３０ｂと着脱自在に連結される連結部４２とを含む。
連結部４２は、たとえば図２，図５および図６に示すように、建枠１２の支柱１４から当該支柱１４に対して略直交する方向に突設され、上記した取付部３０ａ，３０ｂの嵌挿孔３６ａまたは３６ｂに嵌挿される連結軸部材４４を含む。連結軸部材４４には、その軸方向の先端から当該連結軸部材４４の根元側に亘って所定の長さを有する切欠き溝部４６が配設されている。
【００１９】
この切欠き溝部４６を介して対向する連結軸部材４４の壁面４４ａ，４４ｂ間には、長手方向を有するストッパ部材４８が配設されている。ストッパ部材４８は、その長手方向の略中央で当該長手方向に延び設けられたたとえば長円形の長孔４８ａを有する。ストッパ部材４８は、特に、図５の（Ｃ）に示すように、長孔４８ａに挿通された枢軸部材５０により回動自在に支持される。そのため、ストッパ部材４８は、切欠き溝部４６からその一部が突出可能に作動されるものとなっている。枢軸部材５０は、ストッパ部材４８の長孔４８ａに挿通されているので、回動自在に支持された当該ストッパ部材４８は、長孔４８ａ内をその長径（長軸）方向に移動可能となっている。
【００２０】
本実施形態例において、建枠１２の支柱１４に手すり２２を取り付ける場合には、たとえば図６，図７，図８に示すように、取付片３４ａ（３４ｂ）の嵌挿孔３６ａ（３６ｂ）に、連結軸部材４４およびストッパ部材４８が嵌挿される。このとき、ストッパ部材４８は、連結軸部材４４の軸方向と同方向に向いた姿勢位置に保持されるので、ストッパ部材４８は、切欠き溝部４６から突出しない姿勢となっている。
それから、ストッパ部材４８が枢軸部材５０を中心に当該枢軸部材５０の径方向に回動されると、ストッパ部材４８は、重力によって下方（鉛直方向）に垂れ下がる状態となる。このとき、ストッパ部材４８は、切欠き溝部４６から突出されるため、連結軸部材４４の軸方向からの取付部３０ａ（３０ｂ）の抜け出しが阻止される。つまり、手すり２２は、建枠１２の支柱１４から外れないようにロックされる。手すり２２が支柱１４に取り付けられた後は、ストッパ部材４８を切欠き溝部４６において連結軸部材４４の軸方向と同方向に向く姿勢位置に戻さない限り、当該手すり２２は、建枠１２の支柱１４から外れることがない。
【００２１】
本実施形態例にかかるわく組足場１０では、たとえば図１，図３および図９〜図１１に示すように、複数の建枠１２間の隣り合う手すり２２の端部間、すなわち、一方の手すり２２の取付部３２ａおよび他方の手すり２２の取付部３２ｂ間において、一方の取付片３４ａの嵌挿孔３６ａと、他方の取付片３４ｂの嵌挿孔３６ｂとが重ね合わされた状態で、一方の取付片３４ａおよび他方の取付片３４ｂが連結部４２の連結軸部材４４に嵌挿されて連結される。
【００２２】
そのため、本実施形態例にかかるわく組足場１０では、一方の手すり２２の一方の取付片３４ａに設けられた嵌挿孔３６ａ、および、他方の手すり２２の一方の取付片３４ｂに設けられた嵌挿孔３６ｂが重ね合わされた状態で、１つの支柱１４の連結軸部材４４と嵌挿される。したがって、複数の建枠１２間の隣り合う支柱１４間に取り付けられた手すり２２は、一連に連結された状態で隣り合うものとなっている。
【００２３】
さらに、本実施形態例にかかるわく組足場１０では、たとえば図１および図３に示すように、隣り合う手すり２２の一方の手すり２２は、隣り合う交さ筋かい１８の一方の交さ筋かい１８よりも外方に配置されている。また、隣り合う手すり２２の他方の手すり２２は、隣り合う交さ筋かい１８の他方の交さ筋かい１８よりも内方に配置されている。
なお、ここで言う「内方」および「外方」とは、図１に示す本実施形態例にかかるわく組足場１０を平面から見て、つまり、図３の（Ａ），（Ｂ）が記載されている紙面で見て、図３の（Ａ）の上側を建物（図示せず）の立設している側とし、その下側を当該建物とは反対側（道路側）としたとき、建物側を「内方」と呼び、建物と反対側（道路側）を「外方」と呼ぶものとする。
【００２４】
本実施形態例にかかるわく組足場１０では、交さ筋かい１８より外方に配置される手すり２２は、当該交さ筋かい１８でもって外方に押さえ込まれるように当接されて配置され、交さ筋かい１８より内方に配置される手すり２２は、当該交さ筋かい１８でもって内方に押さえ込まれるように当接されて配置されるものとなっている。
【００２５】
本実施形態例にかかるわく組足場１０では、手すり２２の取付部３０ａ，３０ｂにおいて、支持片３２ａ（３２ｂ）の長手方向の長さ、支持片３２ａ（３２ｂ）と取付片３４ａ（３４ｂ）との交差部（屈曲部）から手すり本体２８の外径端までの長さＬ（特に、たとえば図６参照）、手すり本体２８の直径φの大きさ、交さ筋かい１８の斜材１８ａ，１８ｂの直径φの大きさの相対関係によって、たとえば図３の（Ｂ）に示すように、隣り合う手すり２２の一方の手すり本体２８の軸中心と、隣り合う手すり２２の他方の手すり本体２８の軸中心との距離（間隔）Ｄを適宜変更することができる。
当該距離（間隔）Ｄを調節することにより、上記したように、交さ筋かい１８より外方または内方に配置される手すり２２を、当該交さ筋かい１８でもって外方または内方に押さえ込むように当接して配置する場合の押圧の度合いを適宜調節することができ得るものとなっている。
【００２６】
図１２は、建枠の支柱と手すりの取付構造の他の例を示す要部斜視図である。図１２に示す取付構造４０は、たとえば図６〜図８に示す取付構造４０と比べて、特に、連結部４２を、たとえば図８で見て、時計方向に９０度回転させた状態に構成している点で相違している。すなわち、図６〜図８に示す取付構造４０のものは、ストッパ部材４８が枢軸部材５０を中心に上下方向（鉛直方向）に回動自在となるが、図１２に示す取付構造４０では、左右方向（水平方向）に回動自在となる。
【００２７】
図１３は、建枠の支柱と手すりの取付構造のさらに他の例を示す要部平面図である。図１３に示す取付構造４０は、たとえば図３の（Ａ），（Ｂ）に示す取付構造４０と比べて、特に、隣り合う手すり２２の一方の手すり２２と他方の手すり２２を支柱１４の連結部４２に連結するときの取付部３０ａおよび３０ｂの組合せ態様（配置）が相違している。
すなわち、図３の（Ａ），（Ｂ）に示す取付構造４０では、一方の手すり２２の取付片３４ｂの先端と、他方の手すり２２の取付片３４ａの先端とが反対方向に向いて、当該取付片３４ｂと取付片３４ａとは、支柱１４を介して対向配置されていない態様となっている。
【００２８】
それに対して、図１３に示す取付構造４０では、取付片３４ｂの先端と取付片３４ａの先端とが同じ方向に向いており、当該取付片３４ｂと取付片３４ａとは支柱１４を介して対向配置される態様となっている。また、一方の取付片３４ｂと他方の取付片３４ａとは、図１３で見て、平面視逆Ｕ字状に組み合わされた態様に配置されている。この場合、一方の手すり本体２８の軸中心と他方の手すり本体２８の軸中心との距離（間隔）は、図３の（Ａ），（Ｂ）の取付構造４０の当該距離（間隔）Ｄよりも小さくすることができ、一方の手すり２２および他方の手すり２２は、略同一軸中心上に配置させることができる。
【００２９】
本実施形態例にかかるわく組足場１０では、上記した取付構造４０を具備することによって、その取付操作が簡便となり、取付構造４０を構成する構成部材（取付部３０ａ，３０ｂおよび連結部４２）の構造も簡単で且つ当該構成部材の部品点数も少ないものとなっている。そのため、本実施形態例にかかるわく組足場１０では、わく組足場１０の組立てに要する作業時間および作業人員が少なくすることができるので、延いては、当該わく足場の組立てコストの低減化も図ることができる。
【００３０】
本実施形態例では、取付部３０ａおよび３０ｂの支持片３２ａ，３２ｂおよび取付片３４ａ，３４ｂの長手方向の長さがたとえば５０ｍｍ、その幅方向の長さが４０ｍｍ、その厚さがたとえば４ｍｍ、嵌挿孔３６ａ，３６ｂの孔径φがたとえば１４．５ｍｍに形成されている。そして、手すり２２の２８の直径φがたとえば２７ｍｍに形成され、手すり２２における一方の支持片３２ａの芯から他方の支持片３２ｂの芯までの長さは、たとえば９１５ｍｍ，１２２０ｍｍ，１８３０ｍｍに形成され得る。また、交さ筋かい１８の斜材１８ａ，１８ｂの直径φは、たとえば２０ｍｍに形成されている。
なお、上記した各部材の長さや孔径φ，直径φは、建枠１２の大きさ，形状、および、当該建枠１２間の対向配置するときの間隔などによって、適宜、変更され得るものとなっている。
【符号の説明】
【００３１】
１０  わく組足場
１２  建枠
１４  支柱
１６  横材
１８  交さ筋かい
１８ａ  斜材
２０  足場板
２２  手すり
２４  さん
２６  幅木
２８  手すり本体
３０ａ，３０ｂ  取付部
３２ａ，３２ｂ  支持片
３４ａ，３４ｂ  取付片
３６ａ，３６ｂ  嵌挿孔
４０  取付構造
４２  連結部
４４  連結軸部材
４６  切欠き溝部
４８  ストッパ部材
４８ａ  長孔
５０  枢軸部材
【図１】
2010261169.tif 000003
【図２】
2010261169.tif 000004
【図３】
2010261169.tif 000005
【図４】
2010261169.tif 000006
【図５】
2010261169.tif 000007
【図６】
2010261169.tif 000008
【図７】
2010261169.tif 000009
【図８】
2010261169.tif 000010
【図９】
2010261169.tif 000011
【図１０】
2010261169.tif 000012
【図１１】
2010261169.tif 000013
【図１２】
2010261169.tif 000014
【図１３】
2010261169.tif 000015